(57)【要約】    【課題】  手軽な手動式のコーヒーメーカを、自動式の給茶機と連結することにより、自動式のコーヒーメーカとして使用でき、必要な場合にいつでもレギュラーコーヒーとお茶を飲むことができる飲料供給装置を提供する。    【解決手段】  温水タンク２を備え連続してお茶を供給する自動式の給茶器Ａと、前記給茶器Ａに隣接して設置され内部にドリップ式のコーヒーメーカ２０を備えたコーヒー供給器Ｂとからなり、前記給茶器Ａと前記コーヒー供給器Ｂが給湯用のホース９，１７で接続され、前記コーヒー供給器Ｂが使用する温水は前記給茶器Ａより給湯される構成とした。    【選択図】    図１
2006305171.tif 000002
【特許請求の範囲】
【請求項１】
温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯されることを特徴とした飲料供給装置。
【請求項２】
温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯され、
前記コーヒー供給器は、前面開口の本体ケースを備え、前記本体ケースの下部には前記コーヒーメーカーの載置部が設けられ、前記本体ケースの上部には開閉可能なヘッド部が設けられ、
前記ヘッド部の内部には給湯用のポンプモータと、前記ポンプモータに連結され前記コーヒーメーカーに温水を供給するための出口ホースと、前記ポンプモータに連結され前記給茶器の温水タンクに接続された接続ホースと、給湯を断続する電磁弁が収納されていることを特徴とした飲料供給装置。
【請求項３】
温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯され、
前記コーヒー供給器は、前面開口の本体ケースを備え、前記本体ケースの下部には前記コーヒーメーカーの載置部が設けられ、前記本体ケースの上部には開閉可能なヘッド部が設けられ、
前記ヘッド部の内部には給湯用のポンプモータと、前記ポンプモータに連結され前記コーヒーメーカーに温水を供給するための出口ホースと、前記ポンプモータに連結され前記給茶器の温水タンクに接続された接続ホースと、給湯を断続する電磁弁が収納され、
前記ヘッド部の前面には、給湯タイマと、給湯釦と、電源釦を備えた操作用パネルが設置されていることを特徴とした飲料供給装置。
【請求項４】
温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯され、
前記コーヒー供給器は、前面開口の本体ケースを備え、前記本体ケースの下部には前記コーヒーメーカーの載置部が設けられ、前記本体ケースの上部には開閉可能なヘッド部が設けられ、
前記ヘッド部の内部には給湯用のポンプモータと、前記ポンプモータに連結され前記コーヒーメーカーに温水を供給するための出口ホースと、前記ポンプモータに連結され前記給茶器の温水タンクに接続された接続ホースと、給湯を断続する電磁弁が収納され、
前記ヘッド部の前面には、給湯タイマと、給湯釦と、電源釦を備えた操作用パネルが設置され、
前記コーヒー供給器は、高さを調整する下台を備えていることを特徴とした飲料供給装置。
【発明の詳細な説明】
【技術分野】
【０００１】
本発明は、レギュラーコーヒーとお茶を供給することができる飲料供給装置に関する。
【０００２】
従来、一般に使用されるコーヒーメーカーは、図７に示すように、ケース１０１内に設けられた水タンク１０２と、この水タンク１０２の水１０３を加熱すると共にサーバ１０４を保温するためのヒータ１０５と、この加熱水を注いでコーヒーを抽出するドリッパ１０６と、この抽出されたコーヒー抽出液を蓄えるサーバ１０４が備えられている。このコーヒーメーカーの使用者は、このコーヒーメーカーの上部の蓋を開けて内部の水タンク１０２に注水し、加熱スイッチ１０７を入れて水が加熱するを待ち、加熱後に前面パネルのドリップボタンを押して、所定量をサーバ１０４に抽出するものである。
【０００３】
しかしながら、上述したコーヒーメーカーにおいては、水タンクに水を注水したり、この水を加熱するためには、所定の時間がかかり、手間がかかると共に直ぐにはコーヒーが飲めないという問題があった。また、事業所などで使用する場合は、多人数にコーヒーを供する必要があるので、何度もこの作業を繰り返す必要があり、非常に面倒であるという問題があった。さらに、うまいレギュラーコーヒーを飲みたい場合には、使用する水も水道水そのままではなく、浄水器を取り付けて水道水を浄化するか、ミネラルウォーターを使用する必要があり、余分なコストがかかるという問題もあった。
【０００４】
そこで、このような問題を解決するために、特許文献１に示すような全自動式のコーヒーメーカーがあった。このコーヒーメーカーは、焙煎後のコーヒー豆を蓄える豆受けと、該豆受けに蓄えられた豆を粉砕する粉砕器と、粉砕後の豆からコーヒー液を抽出する抽出器と、水を蓄える水タンクと、該水タンクに蓄えられた水を加熱し、前記抽出器へ加熱水を給湯する給湯器とを一体に備えてなるコーヒーメーカーにおいて、抽出するコーヒー液の杯数の指定を入力する入力手段と、該入力手段により入力された指定杯数に応じた量の焙煎後の豆を前記粉砕機に粉砕させる一方、前記指定杯数に応じた量の加熱水を前記抽出器へ供給させるべく制御する制御手段とを備えることを特徴とするものである。
【特許文献１】特開２００３−１１１６７５号公報
【発明の開示】
【発明が解決しようとする課題】
【０００５】
しかしながら、特許文献１のコーヒーメーカーにあっては、確かに全自動式であるので、操作者の手を煩わすことはないものの、マイコンを使用した高度の制御を行うため、このコーヒーメーカーのコストが高くなり、比較的少人数の事業所などにおいては、コストの面において使いにくいという問題があった。また、一方において、比較的少人数の事業所などにおいても、自動式の給茶機が広く利用されており、この給茶機をさらに有効に使いたいという要求があった。さらに、コーヒーメーカーを扱う販売業者などからも、レギュラーコーヒーメーカーを自動式の給茶機と組み合わせて販売したいという要求もあった。
【０００６】
本発明は上述した従来の問題点に鑑みなされたもので、手軽な手動式のコーヒーメーカーを、自動式の給茶機と連結することにより、自動式のコーヒーメーカーとして使用でき、必要な場合にいつでもレギュラーコーヒーとお茶を飲むことができる飲料供給装置を提供するものである。
【０００７】
上記課題を解決するために本発明は、温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯されることを特徴としたものである。
【０００８】
また、本発明は、温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯され、前記コーヒー供給器は、前面開口の本体ケースを備え、前記本体ケースの下部には前記コーヒーメーカーの載置部が設けられ、前記本体ケースの上部には開閉可能なヘッド部が設けられ、前記ヘッド部の内部には給湯用のポンプモータと、前記ポンプモータに連結され前記コーヒーメーカーに温水を供給するための出口ホースと、前記ポンプモータに連結され前記給茶器の温水タンクに接続された接続ホースと、給湯を断続する電磁弁が収納されていることを特徴としている。
【０００９】
また、本発明は、温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯され、前記コーヒー供給器は、前面開口の本体ケースを備え、前記本体ケースの下部には前記コーヒーメーカーの載置部が設けられ、前記本体ケースの上部には開閉可能なヘッド部が設けられ、前記ヘッド部の内部には給湯用のポンプモータと、前記ポンプモータに連結され前記コーヒーメーカーに温水を供給するための出口ホースと、前記ポンプモータに連結され前記給茶器の温水タンクに接続された接続ホースと、給湯を断続する電磁弁が収納され、前記ヘッド部の前面には、給湯タイマと、給湯釦と、電源釦を備えた操作用パネルが設置されていることを特徴としている。
【００１０】
さらに、本発明は、温水タンクを備え連続してお茶を供給する自動式の給茶器と、前記給茶器に隣接して設置され内部にドリップ式のコーヒーメーカーを備えたコーヒー供給器とからなり、前記給茶器と前記コーヒー供給器が給湯用のホースで接続され、前記コーヒー供給器が使用する温水は前記給茶器より給湯され、前記コーヒー供給器は、前面開口の本体ケースを備え、前記本体ケースの下部には前記コーヒーメーカーの載置部が設けられ、前記本体ケースの上部には開閉可能なヘッド部が設けられ、前記ヘッド部の内部には給湯用のポンプモータと、前記ポンプモータに連結され前記コーヒーメーカーに温水を供給するための出口ホースと、前記ポンプモータに連結され前記給茶器の温水タンクに接続された接続ホースと、給湯を断続する電磁弁が収納され、前記ヘッド部の前面には、給湯タイマと、給湯釦と、電源釦を備えた操作用パネルが設置され、前記コーヒー供給器は、高さを調整する下台を備えていることを特徴とするものである。
【発明の効果】
【００１１】
本発明の飲料供給装置は、上述のように構成されたことにより、自動式の給茶器で熱いお茶がいつでも飲めると共にレギュラーコーヒーもいつでも手軽に飲むことができるようになり、レギュラーコーヒーを飲むためにお湯を沸かしたり、コーヒーメーカーに水を供給する手間と時間を省くことができるものである。
【００１２】
また、本発明の飲料供給装置は、コーヒーメーカーの温水は給茶器に付属する水道水浄化装置を経由して供給されるので、レギュラーコーヒーが持つ本来の味と香りを備えたコーヒーを提供できるものである。
【００１３】
さらに、本発明の飲料供給装置は、自動式の給茶器とコーヒーメーカーのコーヒー供給装置をそれぞれの機能を備えたままドッキングさせたものであり、ドッキングさせる手間が簡単であり、一方が故障しても、故障した側を簡単に交換できるものである。
【発明を実施するための最良の形態】
【００１４】
本発明に係る飲料供給装置の最良の形態を図に基づいて説明する。
図１は本発明の飲料供給装置を示す斜視図、図２は図１の飲料供給装置に使用するコーヒー供給器を示す正面図、図３は図２のコーヒー供給器の側面図、図４は図２のコーヒー供給器の背面図、図５は図１の飲料供給装置に使用する給茶機を示す断面図、図６は図１の飲料供給装置のホース結合状態を示す背面図である。
【００１５】
本発明に係る飲料装置は、図１に示すように、給湯器を備え連続してお茶を供給する自動式の給茶機Ａに隣接してドリップ式のコーヒーメーカー２０を備えたコーヒー供給器Ｂを設置したものである。この飲料供給装置は、給茶機Ａにてお茶を供給すると共に、給茶機Ａからコーヒーメーカー用給湯器１０を介してコーヒーメーカー２０へお湯を供給することにより、コーヒーメーカー２０でいつでもレギュラーコーヒーを飲めるように構成されている。
【００１６】
このコーヒー供給装置Ｂは、図２乃至図４に示すように、コーヒーメーカー用給湯器１０の内部にコーヒーメーカー２０を載置したものであり、コーヒーメーカー用給湯器１０は、前面開口の本体ケース１１を備え、下部にはコーヒーメーカーの載置部が設けられ、上部には開閉可能なヘッド部１２が設けられている。このヘッド部１２の内部には給湯用のポンプモータ１３と、前記ポンプモータ１３に配管され前記コーヒーメーカー２０の給湯ポット２１に供給するための出口ホース１４と、電磁弁１５が収納され、このヘッド部１２の前面には操作用パネル１６が設置され、出口ホース１４はコーヒーメーカー２０の給湯ポット２１に連結されている。また、電磁弁１５には給茶機Ａとの接続ホース１７が接続され、給茶機Ａからお湯が供給できるようになっている。
【００１７】
この給湯装置の本体ケース１１は、図２に示すように、前面が開口されたケースであり、開口１１ａにはコーヒーメーカー２０が収容される。また、本体ケース１１の上面および背面には、出口ホース１４および接続ホース１７の貫通孔１１ｂ，１１ｃが形成されている。また、本体ケース１１の下には給茶機Ａとの高さを合わせるために下台３０が置かれている。これは、給茶機Ａとコーヒー供給装置Ｂが段差があり過ぎると、給茶機Ａからコーヒー供給装置Ｂの給湯に不都合が生じるからである。
【００１８】
また、本体ケース１１の上部には、ヘッド部１２が設けられおり、このヘッド部１２の内部には給湯用のポンプモータ１３と、前記ポンプモータ１３に配管されコーヒーメーカー２０の給湯ポット２１に供給するための出口ホース１４と、電磁弁１５が収納されている。そのため、ヘッドカバー１２ａが自在開閉できるように、ヘッドカバー１２ａの後端部ヒンジ１８により支承されている。
【００１９】
このヘッド部１２の前面には、図２に示すように、操作用パネル１６が設置されており、この操作用パネル１６には、給湯タイマ１６ａ、安全解除釦１６ｂ、給湯開始釦１６ｃ、電源釦１６ｄが取り付けられている。給湯タイマ１６ａは、一度に供給する湯量を設定するもので、例えば１リットル、１．２リットルなどと設定できるようになっている。安全解除釦１６ｂは、熱いお湯を供給するので、安全性を考慮したもので、この釦を押して安全解除するものである。給湯開始釦１６ｃは、この釦を押すことにより給湯が開始される。電源釦１６ｄは、電源スイッチである。
【００２０】
また、コーヒー供給装置Ｂに使用されるコーヒーメーカー２０は、図３に示すように、上部に給湯ポット２１を備え、この給湯ポット２１の下に給湯弁２２を介して吐出口２３が設けられ、この吐出口２３を囲むようにペーパーフィタが装着される抽出器２４が設置されている。また、下部にはサーバ２５を載置する載置台２６が設けられ、この載置台２６の内部にはサーバ２５を保温するためのヒータが内蔵されている。さらに、給湯ポット２１のカバー２１ａには、前述の出口ホース１４からのお湯を導入孔が形成されている。従って、コーヒーメーカー２０をコーヒー供給装置Ｂに設置する場合は、公知である市販のコーヒーメーカーを導入孔付きの専用のカバー２１ａに交換するだけでよい。
【００２１】
また、給茶機Ａは、図１または図５に示すように、ケースの内部に断熱材で覆われた温水タンク２と、茶葉を収容するキャニスタ３と、このキャニスタ３の下方にキャニスタ３の茶葉の供給を受ける茶こし４と、この茶こし４を正逆回転させることのできる茶葉交換装置５と、温水タンク２の温水を給湯する電磁弁６と、前面パネルのお茶スイッチ７をオンすると電磁弁６が開きお茶を供給する茶葉交換制御手段８を備えたものである。
【００２２】
この給茶機Ａは、茶葉交換制御手段８の制御により、設定した回数の給茶量になると茶こし４を茶葉交換装置５で回転させ、古い茶葉を捨て、キャニスタ３より新しい茶葉を茶こし４に供給するように構成されている。また、前記温水タンク２にはヒータ２ａが備えられており、給水ホース２ｂより図示しない浄水器を介して供給された水を適温まで加熱する給湯器を構成している。さらに、温水タンク２の底部にはドレインホース９が取り付けられている。
【００２３】
このように構成された給茶機Ａとコーヒー供給装置Ｂは隣接して設置され、図６に示すように、給茶機Ａとコーヒー供給装置Ｂの背面側で、給茶機Ａのドレインホース９とコーヒー供給装置Ｂの接続ホース１７にドレインコック１９が取り付けられて接続され、給茶機Ａの温水タンク２より温水をコーヒー供給装置Ｂできるようになっている。さらに、給茶機Ａとコーヒー供給装置Ｂの設置する間隔は接続ホース１７の長さで調整できるものである。
【００２４】
また、給茶機Ａとコーヒー供給装置Ｂは、それぞれ独立した機能を保持した状態でドッキングされるので、大幅な改造を行うことなく簡単にドッキングできるものである。そのため、どちらか一方が故障した場合でも、一方を簡単に交換することができ、交換費用も安価にすることができるものである。
【図面の簡単な説明】
【００２５】
【図１】本発明の飲料供給装置を示す斜視図である。
【図２】図１の飲料供給装置に使用するコーヒー供給器を示す正面図である。
【図３】図２のコーヒー供給器の側面図である。
【図４】図２のコーヒー供給器の背面図である。
【図５】図１の飲料供給装置に使用する給茶機を示す断面図である。
【図６】図１の飲料供給装置のホース結合状態を示す背面図である。
【図７】従来のコーヒーメーカーを示す断面図である。
【符号の説明】
【００２６】
１      ケース
２      温水タンク
３      キャニスタ
４      茶こし
５      茶葉交換装置
６      電磁弁
７      お茶スイッチ
８      茶葉交換制御手段
９      ドレインホース
１０      コーヒーメーカー用給湯器
１１      本体ケース
１２      ヘッド部
１３      ポンプモータ
１４      出口ホース
１５      電磁弁
１６      操作用パネル
１７      接続ホース
１８      ヒンジ
１９      ドレインコック
２０      コーヒーメーカー
２１      給湯ポット
２２      給湯弁
２３      吐出口
２４      抽出器
２５      サーバ
２６      載置台
３０      下台
【図１】
2006305171.tif 000003
【図２】
2006305171.tif 000004
【図３】
2006305171.tif 000005
【図４】
2006305171.tif 000006
【図５】
2006305171.tif 000007
【図６】
2006305171.tif 000008
【図７】
2006305171.tif 000009